(57)【特許請求の範囲】
【請求項１】
縫い糸と、上ルーパー糸と、下ルーパー糸と、ステッチ糸からなり、オーバーロック縫い目において上ルーパー縫い目の一目置きにステッチ縫い目を現出させたことを特徴とするオーバーロック縫い目構造。
【請求項２】
主軸に連動して上下動する少なくとも１つの縫針と、主軸に連動して揺動運動する上ルーパー及び下ルーパーとを有し、前記縫針に通される縫い糸と、ルーパーへ通されるルーパー糸とからなる縁かがり縫い目を形成するオーバーロックミシンにおいて、
前記主軸に連動して揺動運動するステッチルーパーを設け、該ステッチルーパーにステッチ糸を導入するとともに、前記上ルーパーの揺動運動の１回置きにステッチルーパーを前進させて、前記縁かがり縫い目にステッチ縫い目を現出させることを特徴とするオーバーロックミシン。
【発明の詳細な説明】
【０００１】
【発明の属する技術分野】
この発明は、オーバーロック縫い目構造及びオーバーロックミシンに関する。
【０００２】
【従来の技術】
一般に、布端（裁ち目）の始末に、図１６及び図１７に示すように、解れ防止としてオーバーロック縫い７０（縁かがり縫い）が施されることがある。このオーバーロック縫い７０は、主軸に連動して上下動する縫針と、主軸に連動して揺動運動する上ルーパー及び下ルーパーとを有する公知のオーバーロックミシン（図示せず）を用いて、前記縫針に通される縫い糸７１と、ルーパーへ通されるルーパー糸７２，７３を用いて行われ、縫い目を形成する（例えば、特許文献１参照）。
【０００３】
この種オーバーロック縫い目構造にあっては、主に解れ防止を目的としており、布地と同色の糸を使用して縁かがりを行うのが一般的であるが、より装飾性を高めるために、前記縫い糸及びルーパー糸をそれぞれ異なる色を用いて縁かがりを行うこともある。しかし、これまでにはこれ以外にオーバーロック縫い目構造として、特に効果的な装飾方法がなかった。
【０００４】
【特許文献１】
特開２００１−２９３２７４公報
【０００５】
【発明が解決しようとする課題】
この発明は前記の点に鑑みなされたもので、装飾性の高い新規なオーバーロック縫い目構造を提案するととも、あわせて簡単な構造で前記オーバーロック縫い目構造を形成することができるオーバーロックミシンを提供するものである。
【０００６】
【課題を解決するための手段】
すなわち、請求項１の発明は、縫い糸と、上ルーパー糸と、下ルーパー糸と、ステッチ糸からなり、オーバーロック縫い目において上ルーパー縫い目の一目置きにステッチ縫い目を現出させたことを特徴とするオーバーロック縫い目構造に係る。
【０００７】
また、請求項２の発明は、主軸に連動して上下動する少なくとも１つの縫針と、主軸に連動して揺動運動する上ルーパー及び下ルーパーとを有し、前記縫針に通される縫い糸と、ルーパーへ通されるルーパー糸とからなる縁かがり縫い目を形成するオーバーロックミシンにおいて、前記主軸に連動して揺動運動するステッチルーパーを設け、該ステッチルーパーにステッチ糸を導入するとともに、前記上ルーパーの揺動運動の１回置きにステッチルーパーを前進させて、前記縁かがり縫い目にステッチ縫い目を現出させることを特徴とするオーバーロックミシンに係る。
【０００８】
【発明の実施の形態】
以下添付の図面に従ってこの発明を詳細に説明する。
図１はこの発明の一実施例に係るオーバーロック縫い目構造を拡大して示す概略図、図２は同じくオーバーロック縫い目構造を示す平面図、図３はこの発明に係るオーバーロックミシンを概略的に示す正面図、図４はステッチルーパーの作動を概略的に示すオーバーロックミシンの平面図、図５はオーバーロックミシンの作動を拡大して示す概略図、図６は図５の側面図、図７はオーバーロックミシンの作動を拡大して示す概略図、図８は図７の側面図、図９はオーバーロックミシンの作動を拡大して示す概略図、図１０は図９の側面図、図１１はオーバーロックミシンの作動を拡大して示す概略図、図１２は図１１の側面図、図１３はオーバーロックミシンの作動を拡大して示す概略図、図１４は図１３の側面図、図１５はオーバーロックミシンの作動を拡大して示す概略図である。
【０００９】
この発明のオーバーロック縫い目構造は、図１及び図２に示すように、縫い糸２０と、上ルーパー糸３０と、下ルーパー糸４０と、ステッチ糸５０からなり、上ルーパー糸縫い目３０の一目置きにステッチ糸縫い目５０を布地Ｓ表面に現出させたことを特徴とするものである。なお、この実施例ではこの種縁かがり縫い目構造を総称してオーバーロック縫いと言うが、ウーリー糸を用いたウーリー巻き縫いや、テトロン等の糸を用いたテトロン巻き縫い、そのほかメロウ巻き縫いなどと称されるものも縫い目構造としては同様であり、ここでは広義にとらえるものである。
【００１０】
次に、請求項１発明のオーバーロック縫い目構造１０を実現するオーバーロックミシン６０について説明する。
このオーバーロックミシン６０は、請求項２に規定し、図３にも示すように、縫針２１と、上ルーパー３１及び下ルーパー４１と、ステッチルーパー５１とを有し、前記縫針２１に通される縫い糸２０と、上ルーパー３１及び下ルーパー４１へ通される各ルーパー糸３０，４０と、ステッチルーパー５１に導入されるステッチ糸５０によって前記縁かがり縫い目構造１０を形成する。なお、図において符号Ｔ１，Ｔ２，Ｔ３はそれぞれ縫い糸２０、上ルーパー糸３０、下ルーパー糸４０のテンショナーを示す。また、当該オーバーロックミシンでは、布端部の所定幅を針板の上下に設けられた公知のオスカッタ及びメスカッタによって裁断しながら、あらたに作出された布端部にオーバーロック縫いを施すものであるが、実施例の図においては、説明の便宜のため表示を省略する。
【００１１】
前記縫針２１及び上ルーパー３１及び下ルーパー４１の構造及び動作は、従来のオーバーロックミシンと同様であって、主軸６１に連動して前記縫針２１と上ルーパー３１及び下ルーパー４１が所定タイミングで作動することによって、縫い糸２０及びルーパー糸３０，４０を絡ませて公知のオーバーロック縫い目構造（図１１及び図１２参照）を作出しており、これにステッチルーパー５１の動作を関連させてステッチ糸５０を編み込むことによって、この発明のオーバーロック縫い目構造１０が形成される。
【００１２】
前記ステッチルーパー５１は、実施例において、先端が縫針２１方向へ接近するよう屈曲した鉤状のもので、縫針２１位置後方より前進後退可能に設けられたものである。主軸６１に連動する縫針２１と、上ルーパー３１及び下ルーパー４１の揺動運動の１回置きにステッチルーパー５１を前進させてオーバーロック縫い目にステッチ縫い目を形成する。なお、ステッチルーパー５１の作動は、図４の平面図からも解るように、縫針２１及び上ルーパー３１及び下ルーパー４１を作動させる主軸６１に取り付けられた主軸プーリー６３に対し、２倍の外径を有する外部プーリー６５をタイミングベルト６４で連動させて、さらにリンク機構６６を用いることによって、ステッチルーパー５１を縫針２１に対して、該縫針２１の運動の１回置きに進退運動するようにしている。なお、ステッチルーパー５１の作動はこれに限らず、ミシン本体内部においてギア等により連動させて作動させることもできる。さらに他には、ふりこ運動や、上下動することによって、縫針２１、上ルーパー３１及び下ルーパー４１に関連運動するようにしてもよい。
【００１３】
次に、ミシン６０前面から見た作動図（図５，７，９，１１，１３，１５）及び、ミシン側面から見た作動図（図６，８，１０，１２，１４）に基づいて、特に布地Ｓの表面側に現出する縫い目を構成する縫い糸２０及び縫針２１、上ルーパー糸３０及び上ルーパー３１、ステッチ糸５０及びステッチルーパー５１のそれぞれの作動について説明する。図において符号６２は針板、６７は送り金を示す。
【００１４】
まず図５及び図６に示すように、縫針２１が再上昇位置より少し降下し、かつ上ルーパー３１がもっとも左に位置した状態を起点とすると、ステッチルーパー５１は手前に前進しており、上ルーパー糸３０の下にステッチ糸５０が入る状態となる。
【００１５】
次に図７及び図８に示すように、縫針２１の先端が針板６２の面の位置に降下した時、上ルーパー３１は縫針２１より２〜３ｍｍ右側へ後退して、縫針２１が上ルーパー糸３０をすくう。と同時に、上ルーパー糸３０がステッチ糸５０を下方へくるみ始め、ステッチルーパー５１は縫針２１後方へ後退し始める。
【００１６】
続いて、図９及び図１０のように、縫針２１が最下位置となった時、ステッチルーパー５１は運動量の半分程度後退しており、上ルーパー３１はもっとも右端に位置して、ステッチ糸５０は上ルーパー糸３０の下へくるまれる。
【００１７】
図１１及び図１２はステッチルーパー５１がもっとも後退した状態を示し、他の縫針２１、上ルーパー３１及び下ルーパー４１は図５及び図６と同様の状態となる。オーバーロック縫い目の一目が形成された状態である。
そして図１３及び図１４に示すように、ステッチルーパー５１以外は図７及び８と同様に、縫針２１が降下し、上ルーパー３１の上ルーパー糸３０をすくう。ステッチルーパー５１は再度前進し始める。この時点でステッチルーパー５１は上ルーパー３１よりも後方に位置する。
【００１８】
そして、図１５のように再び縫針２１が最下点に到達した時、ステッチルーパー５１は運動量の半分程度まで前進し、上ルーパー３１は右端に位置しており、この時ステッチ糸５０は上ルーパー糸３０の下に潜ることなく外れるため、ステッチ糸５０が上ルーパー糸３０の上に現出することとなる。ここまででこの発明のオーバーロック縫い目構造１０の模様２目が作出されることになり、図５及び図６の状態に戻る。
【００１９】
すなわち、縫針２１が２度運動するのに対してステッチルーパー５１は１度運動して公知のオーバーロック縫い構造に関わることによって、上ルーパー糸３０でステッチ糸５０を巻き、次の一針で上ルーパー糸３０はステッチ糸５０を外すことにより布地Ｓの端縁部にステッチ模様を作出する。
【００２０】
なお、ステッチルーパー５１に導入されるステッチ糸５０は、所定のテンショナーを用いて、ステッチ糸５０の張力を適度に調整するとともに、縫針２１の動きに応じた緩急を持たせることによって、布地にステッチ模様を形成した際につっぱり感がなく形成することができ好ましい。実施例では、縫い糸２０に緩急を持たす公知の可動テンショナー１６の作動を利用して、ステッチ糸５０の抵抗を調整できるものとした。また、ステッチ糸５０に一定の抵抗を付与する調整テンショナー１７も使用する。前記可動テンショナー１６は縫針２１が最下点から上昇し始めると同時にステッチ糸５０を張らせ始め、縫針２１が最上点に達した時点でステッチ糸５０をもっとも張らせるようにしている。この機構によってステッチ糸５０に緩急を与えながら送り出すことにより、縫いスピードの緩急に対応してステッチ糸５０を適当なテンションで縫い込むことができる。
【００２１】
【発明の効果】
以上図示し説明したように、請求項１の発明のオーバーロック縫い目構造によれば、縫い糸と、上ルーパー糸と、下ルーパー糸と、ステッチ糸からなり、オーバーロック縫い目において上ルーパー縫い目の一目置きにステッチ縫い目を現出させたものであるため、布地の端縁部に全く新規な装飾を施すことができる。
【００２２】
また、請求項２の発明のオーバーロックミシンによれば、縁かがり縫い目を形成するオーバーロックミシンにおいて、主軸に連動して揺動運動するステッチルーパーを設け、該ステッチルーパーにステッチ糸を導入するとともに、上ルーパーの揺動運動の１回置きにステッチルーパーを前進させて、縁かがり縫い目にステッチ縫い目を現出させることができるものであるため、全く新規な装飾のオーバーロック縫い目構造を簡単に得ることができる。なお、このステッチ糸を使用しなければ、公知のオーバーロックミシンと同様に使用することもできる。
【図面の簡単な説明】
【図１】この発明の一実施例に係るオーバーロック縫い目構造を拡大して示す概略図である。
【図２】この発明に係るオーバーロック縫い目構造を示す部分平面図である。
【図３】この発明のオーバーロックミシンを概略的に示す正面図である。
【図４】ステッチルーパーの作動を概略的に示すオーバーロックミシンの平面図である。
【図５】オーバーロックミシンの作動を拡大して示す概略図である。
【図６】図５の側面図である。
【図７】オーバーロックミシンの作動を拡大して示す概略図である。
【図８】図７の側面図である。
【図９】オーバーロックミシンの作動を拡大して示す概略図である。
【図１０】図９の側面図である。
【図１１】オーバーロックミシンの作動を拡大して示す概略図である。
【図１２】図１１の側面図である。
【図１３】オーバーロックミシンの作動を拡大して示す概略図である。
【図１４】図１３の側面図である。
【図１５】オーバーロックミシンの作動を拡大して示す概略図である。
【図１６】従来のオーバーロック縫い目構造を拡大して示す概略図である。
【図１７】従来のオーバーロック縫い目構造を示す平面図である。
【符号の説明】
１０  オーバーロック縫い目構造
２０  縫い糸
２１  縫針
３０  上ルーパー糸
３１  上ルーパー
４０  下ルーパー糸
４１  下ルーパー
５０  ステッチ糸
５１  ステッチルーパー
６０  オーバーロックミシン
【図１】
0003699094.tif 000002
【図２】
0003699094.tif 000003
【図３】
0003699094.tif 000004
【図４】
0003699094.tif 000005
【図５】
0003699094.tif 000006
【図６】
0003699094.tif 000007
【図７】
0003699094.tif 000008
【図８】
0003699094.tif 000009
【図９】
0003699094.tif 000010
【図１０】
0003699094.tif 000011
【図１１】
0003699094.tif 000012
【図１２】
0003699094.tif 000013
【図１３】
0003699094.tif 000014
【図１４】
0003699094.tif 000015
【図１５】
0003699094.tif 000016
【図１６】
0003699094.tif 000017
【図１７】
0003699094.tif 000018